(57)【特許請求の範囲】
【請求項１】
ハンドル軸と直交する方向に直線的に往復動可能なスプール軸と、上記ハンドル軸に連動して回転するとともに、その回転中心から偏心した位置に凸部を有する駆動歯車と、を収容するリール本体と、
上記スプール軸の後端に固定され、上記駆動歯車の凸部が摺動可能に嵌合することで、上記駆動歯車の回転運動を上記スプール軸の軸方向に沿う往復直線運動に変換する案内溝を有するスライダと、
上記リール本体に上記スプール軸と平行に設けられ、上記スライダを上記スプール軸の軸方向に摺動可能に案内する案内軸と、を具備し、
上記駆動歯車の回転時に上記凸部が描く最大外径軌跡よりも外側に上記案内軸を配置するとともに、上記案内軸を上記ハンドル軸の軸方向から見た時に、上記案内軸の少なくとも一部が上記駆動歯車の外周部と重なり合う魚釣用スピニングリールであって、
上記スライダの上記案内溝は、上記スプール軸よりも後方において上記リール本体の高さ方向に延びているとともに、上記スプール軸を軸方向から見た時に、上記案内溝が上記スプール軸の延長上に位置されて上記スプール軸の少なくとも径方向に沿う一部が上記案内溝と重なり合うことを特徴とする魚釣用スピニングリール。
【請求項２】
請求項１の記載において、上記スライダは、その前端から前方に突出されたボス部を有し、上記スプール軸の後端は、上記スライダの前方から上記ボス部に嵌め込まれているとともに、ねじを介して上記ボス部に固定されていることを特徴とする魚釣用スピニングリール。
【発明の詳細な説明】
【技術分野】
【０００１】
本発明は、ハンドル軸の回転運動を往復直線運動に変換してスプール軸に伝えるオシレート機構を備えた魚釣用スピニングリールに関する。
【背景技術】
【０００２】
魚釣用スピニングリールは、スプールおよびロータの後方に位置するリール本体を備えている。リール本体は、釣糸をスプールに均等に巻き付けるオシレート機構を内蔵している。
【０００３】
オシレート機構は、ハンドル軸の回転運動を往復直線運動に変換してスプール軸に伝えるためのものであって、その一例が例えば特許文献１および特許文献２に開示されている。
【０００４】
特許文献１および特許文献２に開示されたオシレート機構は、ハンドル軸に追従して回転する駆動歯車と、スプール軸と一緒に往復動するスライダとを備えている。駆動歯車は、その回転中心から偏心した位置に凸部を有している。凸部は、駆動歯車の回転により公転するとともに、スライダに形成した案内溝に摺動可能に嵌まり込んでいる。案内溝は、スプール軸と直交するようにリール本体の高さ方向に沿って延びている。
【０００５】
この種のオシレート機構では、ハンドルの巻き取り操作に伴って駆動歯車が回転すると、公転する凸部が案内溝内を長手方向に沿って移動する。この結果、駆動歯車の回転運動が公転する凸部と案内溝との嵌合により往復直線運動に変換されてスライダに伝えられる。スライダは、スプール軸の後端に固定されているので、スプール軸がスライダの動きに追従して軸方向に直線的に往復動する。
【０００６】
さらに、特許文献１および特許文献２に開示されたオシレート機構では、スライダの円滑な動作を可能とするための工夫がなされている。具体的には、特許文献１の場合は、リール本体の内部にスプール軸と平行をなすガイドロッドが架設されており、このガイドロッドがスライダを摺動可能に貫通している。
【０００７】
この構成により、スライダを平行な二本の軸によって支えることができ、スライダの移動方向と交差する方向および駆動歯車の回転方向へのスライダのがたつきを解消できる。
【０００８】
一方、特許文献２によると、スライダの上端部に上向きに突出する支持部が形成されており、この支持部の上端にボール軸受が取り付けられている。ボール軸受は、リール本体の内部に形成された一対の案内部に回転自在に接している。案内部は、スプール軸の軸方向に延びるとともに、互いに間隔を存して平行に配置されており、これら案内部の間に上記ボール軸受が介在されている。
【０００９】
この構成によれば、スライダの上端部をリール本体によって直接支えることができ、スライダの移動方向と交差する方向および駆動歯車の回転方向へのスライダのがたつきを解消することができる。
【特許文献１】登録実用新案第３０１２４２６号公報
【特許文献２】特開２００２−３４５３７２号公報
【発明の開示】
【発明が解決しようとする課題】
【００１０】
特許文献１に開示されたオシレート機構によると、スライダを貫通するガイドロッドは、スプール軸の下方において案内溝の反対側に大きく偏っている。このため、スライダは、案内溝の反対側に張り出すボス部を有し、このボス部をスプール軸およびガイドロッドが貫通している。
【００１１】
しかしながら、この構成によると、ボス部の存在によりスライダの厚み寸法が増大するので、ハンドル軸の周囲にスライダおよび駆動歯車を並べて配置するための広いスペースを確保する必要がある。このため、リール本体を大型化せざるを得なくなり、魚釣用スピニングリールが重く大きなものとなる。
【００１２】
特許文献２に開示されたオシレート機構によると、スライダの上方に軸受が突出するので、このスライダの上方に軸受および軸受が回転自在に接触する案内部を設置するスペースを確保しなくてはならない。特に案内部は、スライダの移動距離に対応する長さが必要となるので、スライダの上方に益々広いスペースが必要となる。
【００１３】
この結果、リール本体をスプール軸の軸方向およびスプール軸と直交する上下方向に夫々拡張せざるを得なくなり、魚釣用スピニングリールが重く大きなものとなるのを避けられない。
【００１４】
本発明の目的は、スライダの円滑な移動を可能としつつ、リール本体をコンパクトに形成することができ、小形・軽量化を図れる魚釣用スピニングリールを得ることにある。
【課題を解決するための手段】
【００１５】
上記目的を達成するため、本発明の一つの形態に係る魚釣用スピニングリールは、
ハンドル軸と直交する方向に直線的に往復動可能なスプール軸と、上記ハンドル軸に連動して回転するとともに、その回転中心から偏心した位置に凸部を有する駆動歯車と、を収容するリール本体と、
上記スプール軸の後端に固定され、上記駆動歯車の凸部が摺動可能に嵌合することで、上記駆動歯車の回転運動を上記スプール軸の軸方向に沿う往復直線運動に変換する案内溝を有するスライダと、
上記リール本体に上記スプール軸と平行に設けられ、上記スライダを上記スプール軸の軸方向に摺動可能に案内する案内軸と、を備えており、
上記駆動歯車の回転時に上記凸部が描く最大外径軌跡よりも外側に上記案内軸を配置するとともに、上記案内軸を上記ハンドル軸の軸方向から見た時に、上記案内軸の少なくとも一部が上記駆動歯車の外周部と重なり合う魚釣用スピニングリールを前提としている。
【００１６】
上記スライダの上記案内溝は、上記スプール軸よりも後方において上記リール本体の高さ方向に延びているとともに、上記スプール軸を軸方向から見た時に、上記案内溝が上記スプール軸の延長上に位置されて上記スプール軸の少なくとも径方向に沿う一部が上記案内溝と重なり合うことを特徴としている。
【発明の効果】
【００１７】
本発明によれば、スプール軸の径方向に沿うスライダの偏心量を少なく抑えることができ、スプール軸と案内軸の双方でスライダを支える構成でありながら、リール本体の小形・軽量化が可能となる。
【発明を実施するための最良の形態】
【００１８】
まず、本発明と関連性を有する魚釣用スピニングリールの基本的な構成を、図１ないし図４に示す第１の参考例に基づいて説明する。
【００１９】
図１は、魚釣用スピニングリール１を開示している。魚釣用スピニングリール１は、リール本体２を備えている。リール本体２は、例えばマグネシウム合金あるいはアルミニウム合金のような軽量な金属材料で造られている。リール本体２は、上向きに延びる脚部３を有し、この脚部３の上端部が図示しない釣竿のリールシートに固定される。
【００２０】
図３に示すように、リール本体２は、脚部３と一体化されたケース４と、このケース４の左側面にねじ止めされたサイドカバー５とを備えている。ケース４およびサイドカバー５は、互いに協働してリール本体２の内部に収容室６を形成している。
【００２１】
ケース４の前端部に軸受８を介してロータスリーブ９が回転自在に支持されている。ロータスリーブ９は、リール本体２の前後方向に延びているとともに、その前半部がケース４の前端部から突出している。このロータスリーブ９の前端部にロータ１０が同軸状に固定されている。
【００２２】
ロータスリーブ９は、ピニオンギヤ１１を有している。ピニオンギヤ１１は、ロータスリーブ９の後端部に位置するとともに、収容室６の前端部に露出している。
【００２３】
ロータスリーブ９の内側にスプール軸１２が同軸状に挿通されている。スプール軸１２は、軸方向に直線的に往復動可能にケース４に支持されている。スプール軸１２の前部は、ロータ１０の前方に突出している。スプール軸１２の後部は、ロータスリーブ９のピニオンギヤ１１を貫通して収容室６に導かれている。
【００２４】
スプール軸１２の前部にスプール１４が固定されている。スプール１４は、スプール軸１２と一緒に軸方向に往復動可能となっている。スプール１４は、釣糸を巻き付ける小径部１５と、この小径部１５の後方に位置する大径部１６とを有している。スプール１４の大径部１６は、ロータ１０の外周に同軸状に被さっている。
【００２５】
ロータ１０は、一対のアーム１７（一方のみを図示）を有している。アーム１７は、ロータ１０からリール本体２の前方に向けて突出しており、このアーム１７の先端部の間に釣糸案内装置１８が取り付けられている。釣糸案内装置１８は、スプール１４の小径部１５に釣糸を案内するためのものであり、アーム１７の間に跨るベール１９を備えている。
【００２６】
図３に示すように、リール本体２は、ロータ駆動歯車２１のボス部２２を回転自在に支持している。ボス部２２は、ケース４の右側壁４ａとサイドカバー５との間に跨るとともに、収容室６をリール本体２の幅方向に横切っている。ボス部２２は、ピニオンギヤ１１の後方に位置し、このボス部２２と一体のロータ駆動歯車２１がピニオンギヤ１１と噛み合っている。
【００２７】
さらに、ボス部２２の外周に中継歯車２３が設けられている。中継歯車２３は、ボス部２２に追従して回転するとともに、ボス部２２およびロータ駆動歯車２１と一緒に収容室６に収容されている。
【００２８】
図１および図２に示すように、ロータ駆動歯車２１のボス部２２の内側にハンドル軸２５が挿通されている。ハンドル軸２５は、ボス部２２の内面に噛み合うことで、このボス部２２と一体に回転する。ハンドル軸２５は、スプール軸１２と直交するようにリール本体２の幅方向に延びている。ハンドル軸２５の一端は、リール本体２の側方に突出するとともに、このハンドル軸２５の突出端にハンドル２６が取り付けられている。
【００２９】
釣人がハンドル２６を手で回すと、ハンドル軸２５およびボス部２２を介してロータ駆動歯車２１が回転する。ロータ駆動歯車２１は、ロータスリーブ９のピニオンギヤ１１と噛み合っているので、このピニオンギヤ１１を介してロータスリーブ９を回転させる。これにより、ロータスリーブ９に固定されたロータ１０が釣糸を巻き取る方向に回転する。
【００３０】
図１ないし図３に示すように、リール本体２の収容室６にオシレート機構３０が収容されている。オシレート機構３０は、ハンドル軸２５の回転運動を往復直線運動に変換してスプール軸１２に伝えるためのものである。
【００３１】
オシレート機構３０は、オシレート駆動歯車３１、スライダ３２および案内軸３３を備えている。オシレート駆動歯車３１は、ケース４の右側壁４ａの内面にねじ３４を介して回転自在に支持されている。オシレート駆動歯車３１は、ハンドル軸２５よりも後方に位置するとともに、スプール軸１２の後部とケース４の右側壁４ａとの間に介在されている。オシレート駆動歯車３１は、中継歯車２３と噛み合っている。
【００３２】
さらに、オシレート駆動歯車３１は、スプール軸１２側の端面に円柱状の凸部３５を有している。凸部３５は、オシレート駆動歯車３１の回転中心から偏心した位置に設けられている。このため、凸部３５は、オシレート駆動歯車３１の回転時に、ねじ３４を中心として公転するようになっている。図２に示すように、凸部３５の公転時に凸部３５が描く最大外径軌跡Ｌは、オシレート駆動歯車３１の歯底３１ａよりもオシレート駆動歯車３１の径方向に沿う内側に位置している。
【００３３】
スライダ３２は、リール本体２の高さ方向に延びる板状をなしている。スライダ３２は、オシレート駆動歯車３１とロータ駆動歯車２１との間に位置するようにスプール軸１２の後端にねじ３６を介して固定されている。
【００３４】
スライダ３２は、その上下方向に沿う中央部にボス部３７を有している。ボス部３７は、スライダ３２の左側面からロータ駆動歯車２１に向けて張り出しており、このボス部３７にスプール軸１２の後端が相対的に回転不能に嵌め込まれている。そのため、スライダ３２の大部分は、スプール軸１２の後端とオシレート駆動歯車３１との間に介在されており、スライダ３２とオシレート駆動歯車３１とがリール本体２の幅方向に互いに隣り合っている。
【００３５】
スライダ３２のオシレート駆動歯車３１と向かい合う面に案内溝３９が形成されている。案内溝３９は、スプール軸１２の後端と直交するようにリール本体２の高さ方向に沿って直線状に延びており、この案内溝３９の内側にオシレート駆動歯車３１の凸部３５が摺動可能に嵌まり込んでいる。
【００３６】
釣糸を巻き取る方向にハンドル２６を操作すると、ロータ駆動歯車２１の回転が中継歯車２３を介してオシレート駆動歯車３１に伝わり、このオシレート駆動歯車３１が回転する。このオシレート駆動歯車３１の回転により、凸部３５がねじ３４を中心とする回転軌跡を描いて公転し、見掛け上、凸部３５が案内溝３９に沿って上下動する。
【００３７】
この結果、オシレート駆動歯車３１の回転運動が凸部３５と案内溝３９との嵌合により往復直線運動に変換されてスライダ３２に伝わる。スライダ３２は、スプール軸１２の後端に固定されているので、このスプール軸１２がスプール１４と一緒にハンドル軸２５と直交するようにリール本体２の前後方向に往復動する。
【００３８】
図１および図２に示すように、案内軸３３は、ケース４の底壁４ｂに支持されている。ケース４の底壁４ｂは、収容室６に突出する一対の軸受部４１ａ，４１ｂを有している。一方の軸受部４１ａは、ケース４の前端に位置するとともに、他方の軸受部４１ｂは、ケース４の後端に位置している。案内軸３３は、ケース４の前端の方向から軸受部４１ａ，４１ｂの間に跨るように収容室６に挿入されている。案内軸３３の前端は、例えばＥリング４２を介してケース４に固定されている。
【００３９】
案内軸３３は、スライダ３２の下方において、スプール軸１２と平行に配置されている。スライダ３２の下端部３２ａに案内軸３３の軸方向に延びる摺動溝４３が形成されている。摺動溝４３は、案内軸３３の上に摺動可能に被さっている。したがって、スライダ３２は、互いに平行をなすスプール軸１２と案内軸３３との間で支持されている。
【００４０】
図２に最もよく示されるように、案内軸３３は、スライダ３２の下方において、公転する凸部３５が描く最大外径軌跡Ｌの外側に配置されている。さらに、案内軸３３をハンドル軸２５の軸方向から見た時に、案内軸３３の一部は、オシレート駆動歯車３１の外周部と重なり合っている。
【００４１】
言い換えると、案内軸３３がオシレート駆動歯車３１の外周部と重なり合う位置では、図４に示すように、案内軸３３の上部がオシレート駆動歯車３１の外周縁を規定する歯先３１ｂよりもオシレート駆動歯車３１の径方向に沿う内側に位置している。そのため、案内軸３３が接する摺動溝４３の溝底４３ａは、歯先３１ｂよりも距離Ｈに相当する分だけ上方に位置している。
【００４２】
このような構成によると、スプール軸１２の軸方向に往復直線運動するスライダ３２は、互いに平行をなすスプール軸１２と案内軸３３とによって支えられており、これらスプール軸１２および案内軸３３は、リール本体２の上下方向に離れている。このため、スライダ３２が移動する時に、この移動方向と交差する方向およびオシレート駆動歯車３１の回転方向へのスライダ３２のがたつきを解消することができ、スライダ３２の動きが滑らかとなる。
【００４３】
しかも、上記構成によると、スライダ３２の移動方向を案内する案内軸３３は、スプール軸１２の下方において、公転する凸部３５が描く最大外径軌跡Ｌよりも外側に位置するとともに、この案内軸３３の一部がオシレート駆動歯車３１の外周部と重なり合っている。
【００４４】
このため、案内軸３３をスライダ３２の下方に生じるデッドスペースを利用して配置することができ、案内軸３３がオシレート駆動歯車３１の下方に大きく張り出すのを防止できる。
【００４５】
したがって、スライダ３２をスプール軸１２と案内軸３３の双方で支えるようにしたにも拘らず、案内軸３３をオシレート駆動歯車３１の外周部の付近にコンパクトに配置することができる。よって、リール本体２の小形・軽量化が可能となり、使い易い魚釣用スピニングリール１を得ることができる。
【００４７】
図５は、本発明と関連性を有する魚釣用スピニングリールの第２の参考例を開示している。
【００４８】
この第２の参考例は、オシレート駆動歯車３１、スライダ３２および案内軸３３の相対的な位置関係が上記第１の参考例と相違している。それ以外の魚釣用スピニングリール１の構成は、第１の参考例と同様である。
【００４９】
図５に示すように、案内軸３３は、スライダ３２の案内溝３９の下端を避けるようにスプール軸１２の真下に配置されている。それとともに、案内軸３３は、オシレート駆動歯車３１の凸部３５が案内溝３９の下端に位置する時に、凸部３５の下端とオシレート駆動歯車３１の下端の歯先３１ｂとの間に位置している。
【００５０】
そのため、図５に二点鎖線で示す上記第１の参考例の案内軸３３の位置と比較した時に、案内軸３３がオシレート駆動歯車３１の下端よりも上方にずれている。
【００５１】
スライダ３２は、その下端部３２ａにオシレート駆動歯車３１の反対側に張り出す軸受部５１を有している。軸受部５１は、ロータ駆動歯車２１とスライダ３２との間のデッドスペースに張り出しており、丁度スプール軸１２の後端が嵌合するボス部３７の下方に位置している。
【００５２】
さらに、軸受部５１の下面に下向きに開口する摺動溝４３が形成されている。摺動溝４３は、案内軸３３の軸方向に延びている。案内軸３３は、摺動溝４３に軸方向に摺動可能に嵌まり込んでいる。
【００５３】
このような構成によれば、案内軸３３がオシレート駆動歯車３１の下端よりも上方にずれるので、ケース４の底壁４ｂをオシレート駆動歯車３１やスライダ３２に近づけることができる。このため、オシレート機構３０の下方へのケース４の張り出しを抑えて、リール本体２を上下方向によりコンパクトに形成することができる。
【００５４】
図６ないし図８は、本発明の第１の実施の形態を開示している。
【００５５】
本発明の第１の実施の形態は、スプール軸１２とスライダ３２との位置関係が上記第１の参考例と相違している。それ以外の魚釣用スピニングリール１の構成は、第１の参考例と同様である。
【００５６】
図６に示すように、スライダ３２は、その前端から前方に突出するボス部６１を有している。スプール軸１２の後端は、スライダ３２の前方からボス部６１に嵌め込まれるとともに、ねじ６２を介してボス部６１に固定されている。ねじ６２は、スライダ３２の左側からボス部６１にねじ込まれている。
【００５７】
さらに、スプール軸１２を軸方向から見た時に、スプール軸１２の径方向に沿う一部が案内溝３９と重なり合っている。これにより、案内溝３９は、スプール軸１２の軸線Ｏ１の延長上に位置し、スプール軸１２の径方向に沿うスライダ３２の偏心量が少なく抑えられている。
【００５８】
図６および図８に示すように、リール本体２のケース４にスプール軸１２の中間部を支持する軸受部６３が形成されている。軸受部６３は、スプール軸１２が貫通する軸受孔６４を備えている。軸受孔６４は、第１の部分６５と、この第１の部分６５よりも径が大きい第２の部分６６と、この第２の部分６６よりもさらに径が大きい第３の部分６７とを有している。第１ないし第３の部分６５〜６７は、互いに同軸状をなしてスプール軸１２の軸方向に並んでおり、第３の部分６７の内側にピニオンギヤ１１の後端が入り込んでいる。
【００５９】
軸受孔６４とスプール軸１２との間に円筒状のカラー６８が介在されている。カラー６８は、軸受孔６４の第１の部分６５の内側に圧入されるとともに、その前端がピニオンギヤ１１の後端面に突き当たっている。スプール軸１２は、カラー６８の内側を軸方向に摺動可能に貫通している。
【００６０】
軸受孔６４の第２の部分６６とカラー６８の外周面との間に第１のボール軸受７０が介在されている。第１のボール軸受７０は、カラー６８を回転自在に支持している。さらに、軸受孔６４の第３の部分６７とピニオンギヤ１１の後端の外周面との間に第２のボール軸受７１が介在されている。第２のボール軸受７１は、ピニオンギヤ１１の後端を回転自在に支持している。
【００６１】
このような構成によると、スプール軸１２を軸方向から見た時に、スプール軸１２の径方向に沿う一部が案内溝３９と重なり合い、スプール軸１２の径方向に沿うスライダ３２の偏心量が少なく抑えられている。このため、スプール軸１２およびスライダ３２をハンドル軸２５の軸方向にコンパクトに配置することができ、リール本体２をより幅狭く形成することができる。
【００６２】
上記構成によると、スライダ３２の動きが滑らかとなって釣糸の巻き取り操作を円滑に行えることに加えて、スプール軸１２にしてもカラー６８および第１のボール軸受７０を介してリール本体２の軸受部６３に支持されて、不用な摩擦がスプール軸１２に作用し難くなっている。
【００６３】
このため、上記スプール軸１２の支持構造を、例えばスプール１４と一体に回転するスプール軸１２の回転方向に制動力を付与するドラグ機構（リヤドラグ）を備えた魚釣用スピニングリール１に適用することで、ドラグ性能が一段と向上する。
【００６４】
図９は、本発明の第２の実施の形態を開示している。
【００６５】
この第２の実施の形態では、第１のボール軸受７０の内輪７０ａがスプール軸１２の外周面に直接圧入されており、これ以外の構成は、第１の実施の形態と同様である。
【００６６】
この構成によれば、第１の実施の形態で用いたカラー６８が不要となり、魚釣用スピニングリール１の部品点数を削減できる。そのため、第１の実施の形態と同様にドラグ性能を高めつつ、魚釣用スピニングリール１のコストを低減でき、安価な魚釣用スピニングリール１を提供できる。
【００６７】
図１０は、本発明の第３の実施の形態を開示している。
【００６８】
この第３の実施の形態では、第２のボール軸受７１が第１のボール軸受７０とピニオンギヤ１１の後端との間に跨って装着されている。そのため、第１のボール軸受７０および第２のボール軸受７１は、互いに重なり合った状態で軸受孔６４の内側に嵌まり込んでいる。
【００６９】
このような構成によれば、第１のボール軸受７０および第２のボール軸受７１が同軸状に重なり合うので、スプール軸１２の軸方向に沿う軸受部６３の厚み寸法を減じることができる。そのため、軸受部６３を小形化することができ、リール本体２の小形・軽量化を図る上で好都合となるといった利点がある。
【図面の簡単な説明】
【００７０】
【図１】本発明と関連性を有する第１の参考例に係る魚釣用スピニングリールの断面図。
【図２】第１の参考例において、リール本体にオシレート機構を収容した状態を示す魚釣用スピニングリールの断面図。
【図３】図２のＦ３−Ｆ３線に沿う魚釣用スピニングリールの断面図。
【図４】第１の参考例において、案内軸とスライダとの位置関係を拡大して示す断面図。
【図５】本発明と関連性を有する第２の参考例において、案内軸とスライダとの位置関係を示す断面図。
【図６】本発明の第１の実施の形態に係る魚釣用スピニングリールの断面図。
【図７】本発明の第１の実施の形態において、案内軸、スライダの案内溝およびスプール軸の位置関係を示す断面図。
【図８】本発明の第１の実施の形態において、スプール軸の軸受部分の構造を示す断面図。
【図９】本発明の第２の実施の形態において、スプール軸の軸受部分の構造を示す断面図。
【図１０】本発明の第３の実施の形態において、スプール軸の軸受部分の構造を示す断面図。
【符号の説明】
【００７１】
２…リール本体、１２…スプール軸、２５…ハンドル軸、３１…駆動歯車（オシレート駆動歯車）、３２…スライダ、３３…案内軸、３５…凸部、３９…案内溝。
【図１】
0004709054.tif 000002
【図２】
0004709054.tif 000003
【図３】
0004709054.tif 000004
【図４】
0004709054.tif 000005
【図５】
0004709054.tif 000006
【図６】
0004709054.tif 000007
【図７】
0004709054.tif 000008
【図８】
0004709054.tif 000009
【図９】
0004709054.tif 000010
【図１０】
0004709054.tif 000011